(57)【要約】【課題】循環式飼育水槽の飼育水中の溶存酸素濃度を制御する方法の提供。【解決手段】飼育水中の溶存酸素濃度を計測して計測値（Ａ）を取得し、この計測値（Ａ）を制御目標値（Ｂ）として設定し、飼育水中の酸素濃度の現在値（Ａ）を計測して、現在値（Ａ）が制御目標値（Ｂ）以下である場合には、酸素供給量を増加し、現在値（Ａ）が制御目標値（Ｂ）を上回る場合には、酸素供給量を低減する操作を行い、酸素供給量を増加した結果、現在値（Ａ）の時間微分値が０近傍である場合には時間微分値が０近傍となっている継続時間（ｔ）を所定値（ｔ０）と比較して、ｔ≧ｔ０である場合には、初期の制御操作に戻り、ｔ＜ｔ０である場合には、酸素供給量を増加することを特徴とする循環式飼育水槽の飼育水中溶存酸素濃度の制御方法。【選択図】図４
2017079628.tif 000002
【特許請求の範囲】
【請求項１】
循環式飼育水槽の飼育水中の溶存酸素濃度を制御する方法であって、
飼育水中の溶存酸素濃度を計測して計測値（Ａ）を取得するステップＳ１と、
前記ステップＳ１で取得した計測値（Ａ）を制御目標値（Ｂ）として設定するステップＳ２と、
飼育水中の溶存酸素濃度を計測して現在値（Ａ）を取得するステップＳ３と、
現在値（Ａ）と制御目標値（Ｂ）とを比較して、現在値（Ａ）が制御目標値（Ｂ）以下である場合には、次のステップＳ５へ進み、現在値（Ａ）が制御目標値（Ｂ）を上回る場合には、酸素供給量を低減して前記ステップＳ３に戻る、という判断をするステップＳ４と、
酸素供給量を増加するステップＳ５と、
飼育水中の溶存酸素濃度を計測して現在値（Ａ）を取得するステップＳ６と、
前記ステップＳ６で取得した現在値（Ａ）の時間微分値を計算して、時間微分値が０近傍である場合にはステップＳ８へ進み、時間微分値が０近傍でない場合にはステップＳ５に戻る、という判断をするステップＳ７と、
飼育水中の溶存酸素濃度を計測して現在値（Ａ）を取得するステップＳ８と、
前記ステップＳ８で取得した現在値（Ａ）の時間微分値が０近傍となっている継続時間（ｔ）を取得し、所定値（ｔ０）と比較して、ｔ≧ｔ０である場合には、ステップＳ１に戻り、ｔ＜ｔ０である場合には、ステップＳ５に戻る、という判断をするステップＳ９と
を有することを特徴とする溶存酸素濃度の制御方法。
【請求項２】
前記飼育水槽が、飼育水槽内に設置されて酸素供給源から供給される酸素を微細気泡として飼育水に混合する微細気泡発生装置を備えており、前記微細気泡発生装置から発生する酸素量を制御することにより飼育水中の溶存酸素濃度を制御することを特徴とする請求項１に記載の溶存酸素濃度の制御方法。
【請求項３】
前記飼育水槽が、酸素供給源から供給される酸素と循環水とを混合して高濃度酸素水を形成する高濃度酸素水供給手段を備えており、該高濃度酸素水供給手段から飼育水槽への高濃度酸素水の供給量を制御することにより飼育水中の溶存酸素濃度を制御することを特徴とする請求項１に記載の溶存酸素濃度の制御方法。
【請求項４】
前記飼育水槽が、循環水の循環経路内に酸素供給源から供給される酸素を循環水に混合する混合手段を備えており、前記酸素供給源から前記混合手段へ供給される酸素の供給量を制御することにより飼育水中の溶存酸素濃度を制御することを特徴とする請求項１に記載の溶存酸素濃度の制御方法。
【発明の詳細な説明】
【技術分野】
【０００１】
本発明は魚介類の飼育・養殖装置等における飼育水中の溶存酸素濃度の制御方法に関する。
【背景技術】
【０００２】
従来、魚介類を展示する水族館等における水槽、魚介類を養殖する養殖池、養殖槽においては、一般に循環式と呼ばれる濾過槽などの水処理装置を用いて、飼育水の水質を管理している。
魚介類の養殖等の循環型システムでは、飼育魚介類の呼吸、生物処理での微生物等により酸素が消費される。このため、循環型の水槽等を用いた魚介類の養殖等においては、飼育水の溶存酸素濃度は重要な管理項目の１つである。
【０００３】
飼育水中の溶存酸素濃度を所定の値に維持するためには、空気によるバブリング、酸素または高濃度酸素水等の供給などのなんらかの酸素供給手段により、飼育水中の溶存酸素濃度を維持する必要がある。
飼育水中の溶存酸素濃度を維持するためには酸素供給手段より酸素を供給し続ければよいが、水中に溶存できる酸素量は限界があるため、必要以上に供給された酸素は余剰分として大気中へ逃げていってしまう。このことは、必要以上の酸素供給はエネルギを無駄にすることを意味している。したがって、酸素供給量を適切な範囲になるよう制御することは使用エネルギを抑制することになりコスト低減につながる。
【０００４】
従来の飼育装置における溶存酸素濃度の制御方法の例を図５及び図６に基づいて説明する。
まず、図５に示す飼育装置について説明する。
飼育水槽１中の飼育水は沈殿槽３に導入されて糞や残餌が沈殿捕集され、沈殿物が除去された処理飼育水はフィルター装置４で浮遊懸濁物が除去され、バイオフィルター（生物濾過槽）５に導入される。バイオフィルター５では、好気性バクテリアの働きにより毒性の高い魚介類の排泄物のアンモニアが亜硝酸を経由して毒性の低い硝酸に酸化される。
バイオフィルター５の働きによりアンモニアが酸化されて生成する硝酸が飼育水中に蓄積してくるが、この硝酸を含む飼育水は脱窒槽１１に送られて嫌気性バクテリアの働きにより硝酸が除去される。
【０００５】
バイオフィルター５からの飼育水は循環ポンプ６により紫外線照射装置７に送られ、紫外線照射によって飼育水が殺菌され、水中の有機物の分解（低分子化）が行われる。
次に、飼育水は酸素溶入器８に送られ、酸素発生装置９から供給される純酸素を用いて飼育水中の酸素濃度が高められる。酸素溶入器８で酸素濃度を調整された飼育水は飼育水槽１へと注入される。
【０００６】
次に図６に示す飼育装置について説明する。
複数の魚槽２を並列した多槽式の養殖装置１は、各魚槽２毎に配設した高濃度酸素水供給手段３と、これに酸素を供給する酸素供給源４と、循環給水路５と、循環還水路６に設けたスクリーンフィルタ装置７と、流動床型生物膜処理装置８と、炭酸ガス除去装置９からなる水質活性化手段７〜９と、ポンプ１０と、ｐＨ調節装置１１と、蛋白質除去装置１２を構成要素として有している。
【０００７】
給水は、循環ポンプ１０から、循環給水路５を経て各魚槽２毎に行われ、各魚槽２には、高濃度酸素水を供給するための高濃度酸素水供給手段３が設けられている。高濃度酸素水供給手段３は、酸素供給源４から酸素供給管４Ａを介して供給される酸素と、循環水の一部を混合し、溶存酸素濃度が高められた高濃度酸素水として、各魚槽２に個別に直接供給し、魚槽２内の飼育水と混合させる。
【０００８】
各魚槽２には、溶存酸素濃度を計測して、自動制御装置２１に伝える酸素センサ２０が配設されている。各魚槽２内の飼育水中の溶存酸素飽和度が９０％と検知された時に、自動制御装置２１による自動操作により、供給管３Ａのバルブ３Ｂが解放されて、高濃度酸素水供給手段３から、高濃度酸素水を魚槽２に直接供給するようにし、酸素センサ２０が、例えば飼育水における溶存酸素飽和度が１３５％であると検知した時には、自動制御装置２１により供給管３Ａのバルブ３Ｂを自動的に閉塞させるようにして溶存酸素濃度を自動制御する。
【先行技術文献】
【特許文献】
【０００９】
【特許文献１】特開２０００−３１２５４２号公報
【特許文献２】特開２０１３−２５５４４９号公報
【発明の概要】
【発明が解決しようとする課題】
【００１０】
従来技術における溶存酸素濃度の制御方法は、飼育水の溶存酸素飽和度を指標とし、制御目標値と現状の計測値とを比較し、溶存酸素飽和度が目標値以下の場合はバルブを開とし、溶存酸素飽和度が目標値以上の場合はバルブを閉とするという単純な制御を反復継続するというものである。
【００１１】
ところで、水の溶存酸素飽和度は、溶存酸素濃度と飽和溶存酸素濃度との比であるため、溶存酸素飽和度を求めるには飽和溶存酸素濃度を把握する必要がある。飽和溶存酸素濃度は気圧、水温、塩類濃度の影響を受けるため、飽和溶存酸素濃度を把握するためには溶存酸素計以外に、温度、気圧、分圧、塩分等を計測する手段が必要となりコストアップとなる。
【００１２】
また、陸上養殖等に代表される循環型のシステムでは、水流、生物処理等の影響で酸素を供給しても溶存酸素濃度が増加せず、結果として溶存酸素飽和度が制御目標値に到達しないという事象が発生する懸念があり、その場合には酸素を供給し続けることになり、無駄なエネルギを消費することになるという問題もある。
【００１３】
さらに、停電等による酸素供給ラインの停止のリスクを考慮すると、供給停止後もしばらくは必要酸素量を維持できる可能性のあることから、溶存酸素濃度は飽和以上の状態とするのが理想的である。しかしながら、従来技術では、飽和状態を把握するためには、前述のように複数のセンサを取り付ける必要がある上、溶存酸素計の取り付け位置、例えば、飼育槽の出口では、飼育魚によって酸素が消費されるため酸素が飽和状態とならない可能性もある。
【課題を解決するための手段】
【００１４】
本発明者らは、飼育水中の溶存酸素濃度を計測し、その値を制御目標値として設定し、溶存酸素濃度の現在値と制御目標値とを比較して酸素供給量を制御することにより、上記課題を解決することができることを見出して本発明を完成した。
すなわち、本発明は下記（１）〜（４）に記載する通りの溶存酸素濃度の制御方法に係るものである。
【００１５】
（１）循環式飼育水槽の飼育水中の溶存酸素濃度を制御する方法であって、
飼育水中の溶存酸素濃度を計測して計測値（Ａ）を取得するステップＳ１と、
前記ステップＳ１で取得した計測値（Ａ）を制御目標値（Ｂ）として設定するステップＳ２と、
飼育水中の溶存酸素濃度を計測して現在値（Ａ）を取得するステップＳ３と、
現在値（Ａ）と制御目標値（Ｂ）とを比較して、現在値（Ａ）が制御目標値（Ｂ）以下である場合には、次のステップＳ５へ進み、現在値（Ａ）が制御目標値（Ｂ）を上回る場合には、酸素供給量を低減して前記ステップＳ３に戻る、という判断をするステップＳ４と、
酸素供給量を増加するステップＳ５と、
飼育水中の溶存酸素濃度を計測して現在値（Ａ）を取得するステップＳ６と、
前記ステップＳ６で取得した現在値（Ａ）の時間微分値を計算して、時間微分値が０近傍である場合にはステップＳ８へ進み、時間微分値が０近傍でない場合にはステップＳ５に戻る、という判断をするステップＳ７と、
飼育水中の溶存酸素濃度を計測して現在値（Ａ）を取得するステップＳ８と、
前記ステップＳ８で取得した現在値（Ａ）の時間微分値が０近傍となっている継続時間（ｔ）を取得し、所定値（ｔ０）と比較して、ｔ≧ｔ０である場合には、ステップＳ１に戻り、ｔ＜ｔ０である場合には、ステップＳ５に戻る、という判断をするステップＳ９と
を有することを特徴とする溶存酸素濃度の制御方法。
（２）前記飼育水槽が、飼育水槽内に設置され、酸素供給源から供給される酸素を微細気泡として飼育水に混合する微細気泡発生装置を備えており、微細気泡発生装置から発生する酸素量を制御することにより飼育水中の溶存酸素濃度を制御することを特徴とする上記（１）に記載の溶存酸素濃度の制御方法。
（３）前記飼育水槽が、酸素供給源から供給される酸素と循環水とを混合して高濃度酸素水を形成する高濃度酸素水供給手段を備えており、該高濃度酸素水供給手段から飼育水槽への高濃度酸素水の供給量を制御することにより飼育水中の溶存酸素濃度を制御することを特徴とする上記（１）に記載の溶存酸素濃度の制御方法。
（４）前記飼育水槽が、循環水の循環経路内に酸素供給源から供給される酸素を循環水に混合する混合手段を備えており、前記酸素供給源から前記混合手段へ供給される酸素の供給量を制御することにより飼育水中の溶存酸素濃度を制御することを特徴とする上記（１）に記載の溶存酸素濃度の制御方法。
【発明の効果】
【００１６】
本発明の溶存酸素濃度の制御方法は下記の効果を奏する。
・計測装置としては溶存酸素計のみの使用で対応可能であり、溶存酸素飽和度を把握するための他のセンサの使用が不要となる。
・溶存酸素濃度が制御目標値を超えている場合は、酸素の供給量を抑制するため、余剰な酸素の供給を避けることができる。
・溶存酸素濃度の微分値を制御用データとして用いるため、系の状態の変化に追従して、溶存酸素の飽和状態が維持できる。
・循環系全体の飽和状態を監視しているとみなすことができるため、無駄なエネルギを使用することなく溶存酸素濃度を維持することが可能となる。
【図面の簡単な説明】
【００１７】
【図１】本発明の溶存酸素濃度の制御方法を実施する飼育装置の一例を示す図である。
【図２】本発明の溶存酸素濃度の制御方法を実施する飼育装置の一例を示す図である。
【図３】本発明の溶存酸素濃度の制御方法を実施する飼育装置の一例を示す図である。
【図４】本発明の溶存酸素濃度の制御方法の一例のフローチャートを示す図である。
【図５】従来の飼育装置の溶存酸素濃度の制御方法の一例を示す図である。
【図６】従来の飼育装置の溶存酸素濃度の制御方法の他の例を示す図である。
【発明を実施するための形態】
【００１８】
本発明においては、魚介類を飼育又は養殖するための水槽、養殖池、養殖槽を総称して飼育装置といい、飼育装置における水槽を飼育水槽という。
本発明の方法を実施するための飼育装置の例を図１〜３に示す。
【００１９】
図１に示す飼育装置２０における飼育水槽１は、酸素供給源４から微細気泡発生装置１２に酸素を供給し、微細気泡化された酸素を飼育水２に供給することによって飼育水の溶存酸素濃度を高めることができるようにしたものである。
酸素供給源４から飼育水槽１内に設置された微細気泡発生装置１２に酸素を供給する酸素供給管４Ａにバルブ８を設けて、自動制御装置７の信号によりバルブ８の開度を調節することにより飼育水中の溶存酸素濃度を制御することができる。
なお、飼育水槽１内の飼育水２は飼育水槽１底部に設けられた排水口１０から循環水１１が抜き出されて別途設けた水処理装置によって処理した後、ノズル５によって飼育水槽１に戻すようにした循環型水処理系を備えているが、図１においてはこの循環型水処理系については省略している。
【００２０】
図２に示す飼育装置２０における飼育水槽１は、高濃度酸素水供給手段３から高濃度酸素水９を飼育水槽１に供給することによって飼育水の酸素濃度を高めることができるようにしたものである。
図１と同様に、図２においても循環型水処理系については省略している。
【００２１】
高濃度酸素水供給手段３においては、酸素供給源４から酸素供給管４Ａを介して供給される酸素と、循環水１１の一部が分岐された循環水１４とが混合されて高濃度酸素水９が形成され、高濃度酸素水供給管３Ａを通ってノズル５から循環水１１とともに飼育水槽１内に供給される。
酸素供給源４としては、空気から窒素を除去して酸素を濃縮する酸素ガス発生装置、或いは酸素ガスボンベ、液体酸素ボンベ等を使用することができる。
【００２２】
本発明においては、まず初めに飼育装置２０の飼育水槽１における飼育水２中の溶存酸素濃度を溶存酸素計６で計測し、その計測値（Ａ）を制御目標値（Ｂ）として設定し自動制御装置７に記憶させる。
なお，起動初期においては、酸素供給は最大供給の状態にしておく。
そして、溶存酸素計６によって飼育水中のリアルタイムの溶存酸素濃度の計測値（以下「現在値（Ａ）」という）を取得し、自動制御装置７において現在値（Ａ）と制御目標値（Ｂ）とを比較する。
Ａ／Ｂの比の値をｅとしたとき、現在値（Ａ）が制御目標値（Ｂ）を上回っている場合、すなわちｅ＞１の場合には、自動制御装置７からバルブ８に信号を送ってバルブ８の開度を小さくして高濃度酸素水９の供給量を少なくする。
【００２３】
次いで、溶存酸素計６によって現在値（Ａ）を取得し、自動制御装置７において再び現在値（Ａ）と制御目標値（Ｂ）との比較を行い、ｅ＞１の場合には、更にバルブ８の開度を小さくして高濃度酸素水の供給量を少なくするという動作を繰り返す。
【００２４】
また、現在値（Ａ）が制御目標値（Ｂ）以下であるｅ≦１の場合は、自動制御装置７からバルブ８に信号を送ってバルブ８の開度を大きくして高濃度酸素水の供給量を増加すると共に、現在値（Ａ）を取得し、時間微分値を求める。
【００２５】
そして、時間微分値が０近傍となっている継続時間（ｔ）を取得し、所定値（ｔ０）と比較してｔ≧ｔ０であるか否かを判断する。なお、所定値（ｔ０）は予め自動制御装置７に記憶させておく。
ｔ≧ｔ０であれば、再び最初の自動制御開始段階に戻って制御動作を繰り返す。
また、ｔ＜ｔ０であれば酸素供給量を増加し、溶存酸素濃度を計測し、時間微分値を求めるという制御操作を繰り返す。
【００２６】
上記のように、本発明では現在値（Ａ）と制御目標値（Ｂ）とを比較するだけでなく、溶存酸素濃度の時間微分値及びその時間微分値が０近傍となる継続時間（ｔ）を取得している。そして、この継続時間（ｔ）が所定値（ｔ０）以上である場合に、飼育水の溶存酸素濃度が飽和溶存酸素濃度であるとみなして、この飽和溶存酸素濃度を制御目標値として再設定するプロセスを含んでいることを特徴としている。
【００２７】
図２に示す実施形態では循環型水処理系とは別に循環水の一部を分岐して、分岐循環水を高濃度酸素水９とする高濃度酸素水供給系を設けた例を示した。
しかしながら、高濃度酸素水供給系を別途設けることなく、循環水経路に酸素供給源４から酸素を循環水に混合する混合手段を設けて循環水の溶存酸素濃度を制御するようにしても良い。
図３に示すものにおいては、循環水１１の経路に気液混合手段１３を設け、この気液混合手段１３に酸素供給源４から酸素を供給して循環水１１に酸素を混合させて循環水１１の溶存酸素濃度を高めたのち、溶存酸素濃度が高められた循環水１１をノズル５から飼育水槽１内に戻す。
酸素供給源４から気液混合手段１３に酸素を供給する酸素供給管４Ａにバルブ８を設けて、自動制御装置７の信号によりバルブ８の開度を調節することにより飼育水中の溶存酸素濃度を制御することができる。
図１と同様に、図３においても循環型水処理系については省略している。
【００２８】
上記の溶存酸素濃度の制御方法を、図１に示した装置に適用する場合を例として図４のフローチャートに基づいて説明する。
＜ステップＳ１：溶存酸素濃度の計測＞
ステップＳ１においては、溶存酸素計６によって飼育水槽１内の飼育水２中の溶存酸素濃度を計測して計測値（Ａ）を取得する。
【００２９】
＜ステップＳ２：制御目標値の設定＞
ステップＳ２においては、ステップＳ１で取得した計測値（Ａ）を制御目標値（Ｂ）として自動制御装置７の情報記録部に記録する。
【００３０】
＜ステップＳ３：溶存酸素濃度の計測＞
ステップＳ３においては、飼育水２中の溶存酸素濃度を計測して現在値（Ａ）を取得し、取得データを自動制御装置７に送信し、自動制御装置７の情報記録部に記録する。
【００３１】
＜ステップＳ４：酸素供給量の増減の判断＞
ステップＳ４においては、自動制御装置７の情報記録部に記録された現在値（Ａ）と制御目標値（Ｂ）との比ｅ（＝Ａ／Ｂ）を計算し、ｅ≦１かどうかを判断する。
そして、ｅ≦１である場合には、ステップＳ５へ進む。
また、ｅ≦１でない場合（すなわち、ｅ＞１である場合）には、自動制御装置７からバルブ８に信号を送ってバルブ８の開度を小さくして酸素供給源４からの酸素供給量を少なくして飼育水２中の溶存酸素濃度を低減させて、ステップＳ３に戻る。
【００３２】
＜ステップＳ５：酸素供給量の増加＞
ステップＳ５においては、自動制御装置７からバルブ８に信号を送ってバルブ８の開度を大きくして酸素の供給量を増加する。
【００３３】
＜ステップＳ６：溶存酸素濃度の計測＞
ステップＳ６においては、飼育水２中の溶存酸素濃度を計測して現在値（Ａ）を取得し、取得データを自動制御装置７に送信し、自動制御装置７の情報記録部に記録する。
【００３４】
＜ステップＳ７：計測値（Ａ）時間微分値の取得＞  
ステップＳ７においては、自動制御装置７において計測値（Ａ）の時間微分値（ｄＡ／ｄｔ）を計算して、時間微分値が０近傍（時間微分値≒０）かどうかを判断する。
時間微分値≒０である場合にはステップＳ８へ進む。
時間微分値が０近傍でない場合には、ステップＳ５に戻る。
【００３５】
＜ステップＳ８：溶存酸素濃度の計測＞
ステップＳ８においては、飼育水２中の溶存酸素濃度を計測して現在値（Ａ）を取得し、取得データを自動制御装置７に送信し、自動制御装置７の情報記録部に記録する。
【００３６】
＜ステップＳ９：ステップＳ１に戻るか否かの判断＞
ステップＳ９においては、自動制御装置７によって、時間微分値が０近傍となっている継続時間（ｔ）を取得し、所定値（ｔ０）と比較して、ｔ≧ｔ０かどうかを判断する。
ｔ≧ｔ０である場合には、ステップＳ１に戻る。
ｔ＜ｔ０である場合には、ステップＳ５に戻る。
【００３７】
本発明を実施するための具体的な条件設定例を示すと以下の通りである。
（現在値（Ａ）の取得）
飼育水中の溶存酸素濃度を常時計測する。
飼育している魚等の活動の程度によって溶存酸素濃度は変動するため、溶存酸素濃度は常時計測することが好ましい。
【００３８】
（現在値（Ａ）の取得間隔）
溶存酸素計６は溶存酸素濃度を常時計測しており、溶存酸素計６が示す現在値（Ａ）は例えば１秒おきに自動制御装置７に記録する。
【００３９】
（現在値（Ａ）と制御目標値（Ｂ）との比較を実行する実行間隔）
現在値（Ａ）と制御目標値（Ｂ）との比較を実行する実行間隔は、飼育水槽の容量、酸素供給装置の能力、溶存酸素計の設置位置等によって適宜に設定できる。
具体的には、飼育魚がいない状態での供給量の変化が飼育水槽内の溶存酸素濃度の変化に反映されるまでの時間差を予め実測し、その時間差に基づいて実行間隔を設定する。
【００４０】
（酸素供給量を低減する方法）
酸素供給量の低減は例えば次のようにして行う。
初回の酸素低減量＝（現在値−制御目標値）× 飼育水槽中の飼育水量
２回目＝初回の１／２倍
３回目＝２回目の１／２倍
以降、上記の操作を繰返す。
【００４１】
（酸素供給量を増加する方法）
酸素供給量の増加は例えば次のようにして行う。
初回の酸素増加量＝（制御目標値−現在値）× 飼育水槽中の飼育水量
２回目＝初回の２倍
３回目＝２回目の２倍
以降、上記の操作を繰返す。
【符号の説明】
【００４２】
（図１〜３について）
１  飼育水槽
２  飼育水
３  高濃度酸素水供給手段
３Ａ  高濃度酸素水供給管
４  酸素供給源
４Ａ  酸素供給管
５  ノズル
６  溶存酸素計
７  自動制御装置
８  バルブ
９  高濃度酸素水
１０  排水口
１１  循環水
１２  微細気泡発生装置
１３  気液混合器
１４  分岐循環水
２０  飼育装置
（図５について）
１  飼育水槽
２  排水口
３  沈澱槽
４  フィルター装置
５  バイオフィルター（生物濾過槽）
６  ポンプ
７  紫外線照射装置
８  酸素溶入器
９  酸素発生装置
１０  ヒートポンプ
１１  脱窒槽
１２  微細気泡発生装置
１３  ブロワー
【００４３】
（図６について）
１  魚介類養殖装置
２  魚槽
３  高濃度酸素水供給手段
３Ａ  高濃度酸素水供給管
３Ｂ  バルブ
４  酸素供給源
４Ａ  酸素供給管
４Ｂ  緊急用酸素供給手段
４Ｃ  バルブ
５  循環給水路
６  循環還水路
６Ａ  回送管
６Ｂ  排水管
７  スクリーンフィルタ装置
７Ａ  ローラ
７Ｂ  ローラ
８  流動床型生物膜処理装置
９  炭酸ガス除去装置
１０  循環用ポンプ
１０Ａ〜１０Ｄ  ポンプ
１１  ｐＨ調節装置
１２  蛋白質除去装置
１３  清水供給手段
１４  清水給水管
１５  発電機
２０  酸素センサ
２１  自動制御装置
【図１】
2017079628.tif 000003
【図２】
2017079628.tif 000004
【図３】
2017079628.tif 000005
【図４】
2017079628.tif 000006
【図５】
2017079628.tif 000007
【図６】
2017079628.tif 000008